(57)【要約】      （修正有）【課題】受信機のスイッチ操作を無効にした状態でのいたずらや不審者によるスイッチ操作の無効解除を確実に防止可能な火災報知設備を提供する。【解決手段】受信機１０の盤面にはディスプレイ３６が設けられ、また、操作部４０に主音響停止スイッチ、地区音響一時停止スイッチ、火災断定スイッチ等の各種のスイッチが設けられる。第三者が自由に出入りできる建物の共有部等に受信機１０が設置されている場合、スイッチ操作無効制御部４８は暗証番号入力画面を使用した暗証番号の入力によりスイッチの操作を無効とし、第三者のスイッチ操作による受信機動作を防止する。スイッチ操作の無効解除も暗証番号入力画面を使用した暗証番号の入力が必要であり、暗証番号を知らない第三者によるスイッチ操作の無効解除を確実に防止し、スイッチ操作の無効状態を維持可能とする。【選択図】図１
2020087086.tif 000002
【特許請求の範囲】
【請求項１】
受信機又は前記受信機に通信回線より接続された１又は複数の中継盤から引き出された信号回線に火災感知器を接続して火災を監視する火災報知設備に於いて、
前記受信機に、
火災監視に必要な所定の情報を画面表示する表示手段と、
火災監視に必要な所定のスイッチ操作を行うスイッチが前記表示手段の外に設けられた操作手段と、
前記操作手段に設けられた前記スイッチの操作の無効と無効解除を行うスイッチ操作無効制御手段と、
が設けられたことを特徴とする火災報知設備。
【請求項２】
請求項１記載の火災報知設備において、前記スイッチ操作無効制御手段は、前記表示手段により前記スイッチ操作無効を行わせる所定の暗証番号入力画面を表示して前記暗証番号を入力させることを特徴とする火災報知設備。
【請求項３】
請求項１記載の火災報知設備において、前記スイッチ操作無効制御手段は、前記操作手段によるスイッチ操作を無効としたときに、前記表示手段にスイッチ操作無効中を示すスイッチ操作無効中画面を表示させることを特徴とする火災報知設備。
【請求項４】
請求項２記載の火災報知設備において、前記スイッチ操作無効制御手段は、前記スイッチ操作無効中を示す画面に、前記受信機で発生した所定のイベントを画面表示させるイベント表示釦を画面表示させ、前記イベント表示釦の画面操作により前記イベント内容を表示させることを特徴とする火災報知設備。
【請求項５】
請求項２記載の火災報知装置に於いて、前記スイッチ操作無効制御手段は、前記スイッチ操作無効中を示す画面に、スイッチ操作無効解除釦を隠し表示したことを特徴とする火災報知設備。
【請求項６】
請求項１記載の火災報知設備において、前記スイッチ操作無効制御手段は、前記受信機で火災イベントが発生した場合に、前記スイッチ操作の無効を自動的に解除することを特徴とする火災報知設備。
【請求項７】
請求項３記載の火災報知設備において、
前記受信機は、前記受信機で火災イベントが発生した場合に、
スイッチ操作無効を維持し、前記スイッチ操作無効中画面に火災に係る情報を加えたスイッチ操作無効中火災時画面を表示することを特徴とする火災報知設備。
【請求項８】
請求項１記載の火災報知装置に於いて、
前記受信機は、表示手段の外部にガイダンス手段を設け、
前記操作手段によるスイッチ操作を無効としたときに、前記ガイダンス手段が操作された場合に、スイッチ操作無効の解除に関する情報について報知することを特徴とする火災報知設備。
【発明の詳細な説明】
【技術分野】
【０００１】
本発明は、受信機から引き出された信号回線に火災感知器を接続して火災を監視する火災報知設備に関する。
【背景技術】
【０００２】
従来、受信機から引き出された信号回線に火災感知器を接続して火災を監視する火災報知設備としては、Ｒ型火災報知設備とＰ型火災報知設備が知られている。
【０００３】
Ｒ型火災報知設備にあっては、受信機から引き出された信号回線に、固有のアドレスが設定された伝送機能を有するアナログ火災感知器を接続し、火災発生時には、アナログ火災感知器からの火災割込みに基づき、受信機から検索コマンドを発行して発報したアナログ火災感知器のアドレスを特定し、受信機で火災代表灯を点灯して主音響警報を出力し、更に、アドレス表示器等に火災を検出した感知器アドレスを表示するようにしている。
【０００４】
このように、火災を検出した火災感知器のアドレスが分かると、適切な避難誘導や消火活動が可能となり、特に規模の大きな設備の火災監視には不可欠な機能となっている。
【０００５】
Ｐ型火災報知設備は、受信機から引き出された信号回線にオンオフ火災感知器を接続して回線単位に火災を監視しており、火災検出時にはオンオフ火災感知器の火災発報により信号回線に発報電流を流すことで火災検出信号を受信機に送信し、火災警報を出力すると共に火災検出信号を受信した信号回線に対応した地区表示灯を点灯して火災発生地区を表示するようにしている。
【０００６】
また、Ｒ型火災報知設備の受信機は、盤面に火災の監視操作に必要な主音響停止スイッチ、地区音響一時停止スイッチ、火災断定スイッチ等のスイッチが設けられ、また受信機盤面に開閉自在に設けられた小扉内側に、復旧スイッチ、地区音響一斉鳴動スイッチ、移報遮断スイッチ、連動起動遮断スイッチ、蓄積解除スイッチ等のスイッチが設けられ、状況に応じたスイッチ操作を可能としている。
【０００７】
このような火災報知設備にあっては、受信機が施設の共用部に設置され、誰でも容易に受信機に近づいて操作できる場合にあっては、いたずらや不審者による意図的な操作により、例えば地区音響一斉鳴動等の好ましからざる事態が発生する場合がある。
【０００８】
このような問題に対し特許文献１の火災受信機にあっては、特殊なスイッチ操作、例えば２つのスイッチを同時に長押し操作すると、スイッチによる操作を無効にするようにし、いたずら等の操作による不都合を防止するようにしている。
【先行技術文献】
【特許文献】
【０００９】
【特許文献１】特開２００４−３０２９６５号公報
【特許文献２】特開２０１７−００４７７９号公報
【特許文献３】特開２００７−２１９８７０号公報
【特許文献４】特開２０００−２６８２７６号公報
【発明の概要】
【発明が解決しようとする課題】
【００１０】
しかしながら、スイッチの特殊操作によりスイッチ操作を無効とする従来の受信機にあっては、スイッチ操作を無効にできる機能が設けられたことで、火災発生時に操作する主音響停止スイッチ、地区音響一時停止スイッチ、火災断定スイッチ以外の通常は盤面内側の小扉の内側に設置しているスイッチについても盤面に露出して配置しており、このためスイッチ操作を無効にしていても、いたずらや不審者が意図的に操作した場合に、スイッチの特殊操作が偶然に行われてスイッチ操作の無効が解除されてしまう可能性があり、確実性に欠けるという問題がある。
【００１１】
また、スイッチ操作を無効にした場合には、その旨を示す表示灯を点灯するようにしているが、悪戯をする者や不審者には表示灯を見てもスイッチ操作が無効になっていることは分からず、スイッチを操作しても動作しないことが分かっていれば操作を行わないが、それが分からないことでスイッチ操作が無意味に行われ、偶然にスイッチ操作の無効が解除されてしまう可能性が残る。
【００１２】
本発明は、受信機のスイッチ操作を無効にした状態でのいたずらや不審者によるスイッチ操作の無効解除を確実に防止可能とする火災報知設備を提供することを目的とする。
【課題を解決するための手段】
【００１３】
（火災報知設備）
本発明は、受信機又は受信機に通信回線より接続された１又は複数の中継盤から引き出された信号回線に火災感知器を接続して火災を監視する火災報知設備に於いて、
受信機に、
火災監視に必要な所定の情報を画面表示する表示手段と、
火災監視に必要な所定のスイッチ操作を行うスイッチが表示手段の外に設けられた操作手段と、
操作手段に設けられたスイッチの操作の無効と無効解除を行うスイッチ操作無効制御手段と、
が設けられたことを特徴とする。
【００１４】
（スイッチ操作無効の暗証番号入力画面）
スイッチ操作無効制御手段は、表示手段によりスイッチ操作無効を行わせる所定の暗証番号入力画面を表示して暗証番号を入力させる。
【００１５】
（スイッチ操作無効中の画面表示）
スイッチ操作無効制御手段は、操作手段によるスイッチ操作を無効としたときに、表示手段にスイッチ操作無効中を示す画面を表示させる。
【００１６】
（スイッチ操作無効中のイベント表示機能）
スイッチ操作無効制御手段は、表示手段によるスイッチ操作無効中の表示画面に、受信機で発生した所定のイベントを画面表示させるイベント表示釦を画面表示させ、イベント表示釦の画面操作によりイベント内容を表示させる。
【００１７】
（スイッチ操作無効解除の暗証番号入力画面）
スイッチ操作無効制御手段は、スイッチ操作無効中を示す画面に、スイッチ操作無効解除釦を表示し、スイッチ操作無効解除釦の画面操作によりスイッチ操作無効の解除を行わせる所定の暗証番号入力画面を表示して暗証番号を入力させる。
【００１８】
（スイッチ操作無効解除釦の隠し表示）
スイッチ操作無効制御手段は、スイッチ操作無効中を示す画面に、スイッチ操作無効解除釦を隠し表示させる。ここで、画面における釦の隠し表示とは、画面中の例えば特定の表示文字に操作釦を埋め込んで隠蔽する手法や、無意味な文字、図形、符号等のアイコンを操作釦といて表示する手法等で表示された釦を意味する。
【００１９】
（火災イベント発生による無効解除）
スイッチ操作無効制御手段は、受信機で火災イベントが発生した場合に、スイッチ操作の無効を自動的に解除する。
【００２０】
（火災イベント発生による表示）
受信機は、受信機で火災イベントが発生した場合に、
スイッチ操作無効を維持し、スイッチ操作無効中画面に火災に係る情報を加えたスイッチ操作無効中火災時画面を表示する。
【００２１】
（ガイダンス手段によるスイッチ操作無効解除情報の報知による効果）
また、受信機は、表示手段の外部にガイダンス手段を設け、操作手段によるスイッチ操作を無効としたときに、ガイダンス手段が操作された場合に、スイッチ操作無効の解除に関する情報について報知する。
【発明の効果】
【００２２】
（基本的な効果）
本発明は、受信機又は受信機に通信回線より接続された１又は複数の中継盤から引き出された信号回線に火災感知器を接続して火災を監視する火災報知設備に於いて、受信機に、火災監視に必要な所定の情報を画面表示する表示手段と、火災監視に必要な所定のスイッチ操作を行うスイッチが表示手段の外に設けられた操作手段と、操作手段に設けられたスイッチの操作の無効と無効解除を行うスイッチ操作無効制御手段とが設けられたため、受信機に設けられたディスプレイ等の表示手段の画面操作により暗証番号を入力することでスイッチ操作の無効と無効解除ができるため、いたずらする者や不審者等の第三者が暗証番号を知ることは実質的に不可能であり、また、暗証番号の桁数を十分に大きくすることで暗証番号の解読は不可能に近くなり、暗証番号の画面操作による入力によりスイッチ操作の無効が確実に維持され、いたずらや不審者のスイッチ操作による動きを確実に防止することができる。
【００２３】
（スイッチ操作無効の暗証番号入力画面による効果）
また、スイッチ操作無効制御手段は、表示手段によりスイッチ操作無効を行わせる所定の暗証番号入力画面を表示して暗証番号を入力させるようにしたため、簡単な画面操作により関係者のみが知っている所定桁数の暗証番号を入力してスイッチ操作を無効とすることができる。
【００２４】
（スイッチ操作無効中の画面表示による効果）
また、スイッチ操作無効制御手段は、操作手段によるスイッチ操作を無効としたときに、表示手段にスイッチ操作無効中を示す画面を固定表示させるようにしたため、いたずらをしようとする者や不審者は、ディスプレイ等の表示手段にスイッチ操作無効中が表示されることを見ることで、スイッチを操作しても動作しないことが分かり、無意味なスイッチ操作を行うことを思い留まらせることが可能となる。
【００２５】
（スイッチ操作無効中のイベント表示機能による効果）
また、スイッチ操作無効制御手段は、表示手段によるスイッチ操作無効中の表示画面に、受信機で発生した所定のイベントを画面表示させるイベント表示釦を画面表示させ、イベント表示釦の画面操作によりイベント内容を表示させるようにしたため、スイッチ操作無効中を示す画面の表示中に、暗証番号の再入力によりスイッチ操作の無効を解除して画面の固定表示を解除しなくとも、発生したイベントを簡単に見ることができる。
【００２６】
（スイッチ操作無効解除の暗証番号入力画面による操作）
また、スイッチ操作無効制御手段は、スイッチ操作無効中を示す画面に、スイッチ操作無効解除釦を表示し、スイッチ操作無効解除釦の画面操作によりスイッチ操作無効の解除を行わせる所定の暗証番号入力画面を表示して暗証番号を入力させるようにしたため、関係者が共用部に設置している受信機のスイッチ操作を行いたい場合には、スイッチ操作無効中画面のスイッチ操作無効解除釦をタッチ操作することで、スイッチ操作の無効解除のための暗証番号入力画面に切り替えて暗証番号を入力することで簡単にスイッチ操作の無効を解除できる。
【００２７】
（スイッチ操作無効解除釦の隠し表示による効果）
また、スイッチ操作無効制御手段は、スイッチ操作無効中を示す画面に、スイッチ操作無効解除釦を隠し表示させるようにしたため、悪戯をしようとする者や不審者等の第三者がスイッチ操作無効中画面を見てもスイッチ操作の無効を解除するためにどのような操作が必要かが分からず、また、スイッチ操作の無効解除に暗証番号の入力が必要であることを知っていても、暗証番号の入力の仕方がスイッチ操作無効中の画面表示からは分からず、第三者によるスイッチ操作の無効解除を確実に防止して、スイッチ操作の無効を維持することができる。
【００２８】
（火災イベント発生による無効解除の効果）
また、スイッチ操作無効制御手段は、受信機で火災イベントが発生した場合に、スイッチ操作の無効を自動的に解除するようにしたため、緊急を要する火災イベントが発生して火災警報が出力された場合には、暗証番号を入力しなくとも自動的にスイッチ操作の無効が解除され、火災イベントの発生に対し主音響停止、地区音響一時停止、現場確認に基づく火災断定といった火災対処のためのスイッチ操作を有効に行って動作させることができる。
【００２９】
（火災イベント発生による表示の効果）
また、受信機は、受信機で火災イベントが発生した場合に、スイッチ操作無効を維持し、スイッチ操作無効中画面に火災に係る情報を加えたスイッチ操作無効中火災時画面を表示するようにしたため、火災イベント時に解除を行わず表示のみを行う形態にあっては、火災時のみにスイッチ操作無効の解除手段を報知させることができる。
【００３０】
（ガイダンス手段によるスイッチ操作無効解除情報の報知）
受信機は、表示手段の外部にガイダンス手段を設け、
操作手段によるスイッチ操作を無効としたときに、ガイダンス手段が操作された場合に、スイッチ操作無効の解除に関する情報について報知するようにしたため、スイッチ操作無効時においてガイダンスＳＷを押した場合、解除方法もしくは解除方法のヒントを与えることができる。また、管理者のスイッチ操作無効解除方法忘れに対して、例えば隠されたスイッチ操作無効解除釦の位置や暗証番号のヒント等、スイッチ操作無効解除釦方法を想起させることで解除可能とする。
【図面の簡単な説明】
【００３１】
【図１】本発明が適用されるＲ型の火災報知設備の概要を示した説明図
【図２】受信機の外観を正面から示した説明図
【図３】通常監視画面を示した説明図
【図４】運用管理メニュー画面を示した説明図
【図５】スイッチ操作を無効とする暗証番号入力画面を示した説明図
【図６】暗証番号を再入力する暗証番号入力画面を示した説明図
【図７】スイッチ操作無効中画面を示した説明図
【図８】スイッチ操作の無効を解除する暗証番号入力画面を示した説明図
【図９】スイッチ操作無効中画面の表示中に発生した火災イベントにより表示される火災警報画面を示した説明図である。
【図１０】受信機と中継盤で構成された分散システムを示した説明図
【図１１】火災に係る情報を加えたスイッチ操作無効中画面を示した説明図
【発明を実施するための形態】
【００３２】
［火災報知設備］
図１は本発明が適用されるＲ型の火災報知設備の概要を示した説明図である。
【００３３】
［実施形態の基本的概念］
本実施形態による火災報知設備は、受信機１０に操作手段として設けられた主音響停止スイッチ、地区音響一時停止スイッチ、火災断定スイッチ等の各種のスイッチにつき、受信機１０に設けられたディスプレイ３６による暗証番号の入力により、スイッチによるスイッチ操作を無効とし、いたずらをしようとする者や不審者等の第三者によるスイッチ操作に対し受信機１０が動かないようにし、更に、スイッチ操作を無効に設定したときには、ディスプレイ３６にスイッチ操作無効中を示す画面を表示し、これにより第三者にスイッチ操作を行っても受信機１０が動作しない旨を示して不必要な操作を思い留まらせ、更に、スイッチ操作の無効を解除する暗証番号の入力画面に切り替えても、暗証番号が分からない第三者によるスイッチ操作の無効解除を事実上不可能とし、これにより受信機１０が第三者が自由に近づいて操作することのできる建物や施設の共用部等に設置されていても、第三者による不必要な操作により火災監視の機能が損なわれたり、地区音響一斉鳴動等の不足の事態が発生することを確実に防止するものである。以下、具体的に説明する。
【００３４】
［火災報知設備の概要］
図１に示すように、火災報知設備が設置された建物の第三者が出入り可能な共用部には例えばＲ型の受信機１０が設置され、受信機１０から警戒区域に対し系統毎に分けて信号回線１２−１〜１２−３が引き出されている。なお、以下の説明では、信号回線１２−１〜１２−３を区別する必要がない場合は、信号回線１２という場合がある。
【００３５】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。
【００３６】
信号回線１２−２には複数のアナログ火災感知器１４の接続に加え、固有のアドレスが設定された伝送機能を有するアドレッサブル発信機２２が接続されている。更に、信号回線１２−３には固有のアドレスが設定された伝送機能を有する中継器１６を介して地区音響装置、防火シャッター、防火戸、排煙装置等の防災機器２４が接続されている。
【００３７】
ここで、信号回線１２−１〜１２−３に接続されるアナログ火災感知器１４、中継器１６等の端末機器に設定される最大アドレス数は例えば２５５としており、信号回線１２には最大２５５台のアナログ火災感知器１４を含む端末機器が接続できる。
【００３８】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００３９】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００４０】
メインＣＰＵ２６には、表示手段として機能する液晶表示パネル等を用いたタッチパネル付きのディスプレイ３６が接続され、ディスプレイ３６には受信機１０による火災監視に必要な情報がそのときの受信機１０の状況に応じて表示される。
【００４１】
ディスプレイ３６による火災監視に必要な情報には、通常監視時及び火災時に発生したイベント、運用管理に必要な情報、火災警報時の対処操作や対処行動に必要な情報等の全ての情報、更に、受信機の施工保守モードでの運用管理や操作に必要な情報も含まれ、その中に受信機１０の操作部４０に設けているスイッチによるスイッチ操作の無効と無効解除の設定操作を暗証番号の入力により行うスイッチ操作無効制御のための表示が含まれる。
【００４２】
メインＣＰＵ２６に対して表示手段として機能するディスプレイ３６に加え、ＬＥＤ等の表示灯を用いた表示部３８が設けられる。表示部３８には火災代表灯、ガス漏れ代表灯等が設けられる。
【００４３】
また、メインＣＰＵ２６に対しては操作部４０が接続され、操作部４０には火災監視に必要な火災断定スイッチ、主音響停止スイッチ、地区音響一時停止スイッチ等の各種スイッチに加え、本実施形態では、ガイドスイッチが設けられ、利用者がガイドスイッチを操作すると、そのときディスプレイ３６に画面表示している情報に対応したガイダンス情報が画面表示される。
【００４４】
操作部４０には、更に、受信機１０の盤面に設けた小扉５５の内側に配置している復旧スイッチ、地区音響一斉鳴動スイッチ、移報停止スイッチ、連動起動遮断スイッチ、蓄積解除スイッチ等の各種のスイッチが設けられる。
【００４５】
また、メインＣＰＵ２６には、スピーカが設けられた音響警報部４２、及び、移報部４４が接続されている。本実施形態の移報部４４からの移報信号は自動通報装置４５に出力されており、移報信号を受信した自動通報装置４５は電話回線を介して消防署に火災発生を自動通報する移報制御を行うようにしている。
【００４６】
メインＣＰＵ２６にはプログラムの実行により制御手段として機能する火報制御部４６が設けられ、更に、スイッチ操作無効制御手段として機能するスイッチ操作無効制御部４８が設けられる。
【００４７】
（受信機の外観）
図２は受信機の外観を正面から示した説明図である。受信機１０の盤面には、表示手段として機能する液晶表示パネル等を用いたタッチパネル付きのディスプレイ３６が配置される。ディスプレイ３６はカラー画像を画面表示し、また、タッチパネルが画面に配置されることで、画面タッチ操作による選択や入力を可能としている。なお、表示手段はディスプレイ３６以外にＥＬパネル等の適宜の画像表示パネルが使用できる。
【００４８】
ディスプレイ３６の下側で盤面の左右中央となる利用者にとって見やすく且つ操作しやすい位置に、ガイドスイッチ５０が十分な大きさで目立つように配置されている。ガイドスイッチ５０は照光機能を備えた照光スイッチを使用しており、照光スイッチはＬＥＤ等の表示灯を内蔵し、例えば、ガイドスイッチ５０の周囲を囲むリング部分が内側に配置したＬＥＤの作動によりリング状に点灯又は点滅する。例えば、火災イベント発生してディスプレイ３６に火災警報画面が表示されると、ガイドスイッチ５０の照光機能が有効となって点滅し、利用者にガイドスイッチ５０の操作を促す。
【００４９】
火災イベント発生とは、アナログ火災感知器１４からの火災検出信号の受信、発信機１０の操作に伴う信号の受信、非常電話装置子機からの非常電話装置親機の呼出信号に伴う信号の受信等により、受信機１０が火災発生とみなす状態が発生したことを指す。
【００５０】
また、ディスプレイ３６の下側の盤面には、火災断定スイッチ５１、主音響停止スイッチ５２及び地区音響一時停止スイッチ５４が配置され、火災イベントが発生した場合の火災警報画面のガイダンス表示に従った火災対処操作を可能としている。ガイドスイッチ５０の下側の盤面には小扉５５が下側を軸として前開き自在に設けられており、小扉５５の内側には、復旧スイッチ、地区音響一斉鳴動スイッチ、移報停止スイッチ、連動起動遮断スイッチ、蓄積解除スイッチ等の各種のスイッチが設けられており、小扉５５を開いて必要なスイッチ操作を行う。
【００５１】
また、火災断定スイッチ５０の外側には電話マイク６４が配置され、ディスプレイ３６の横に設けられた音響孔６２の内部のスピーカとの組み合わせにより、ハンドフリーによる非常電話機能を実現している。
【００５２】
また、ディスプレイ３６の上側の盤面には火災代表灯５８とガス漏れ代表灯６０が設けられている。更に、受信機１０の盤面の下側にはプリンタ５６が配置され、受信機１０で発生したイベントを印字出力するようにしている。
【００５３】
（受信機の火災監視制御）
図１に示すように、サブＣＰＵ基板２８−１のサブＣＰＵ３０−１を例にとると、伝送部３２−１に指示してアナログ火災感知器１４との間で所定の通信プロトコルに従って信号を送受信することで、火災監視制御を行っている。伝送部３２−１からアナログ火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００５４】
これに対しアナログ火災感知器１４から伝送部３２−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００５５】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ３０−１は、端末アドレスを順次指定したポーリングコマンドを含む呼出信号を送信している。
【００５６】
アナログ火災感知器１４は自己アドレスに一致するアドレスを持つ呼出信号を受信すると、そのとき保持しているセンサデータを含む応答信号を伝送部３２−１に送信する。また、アナログ火災感知器１４は煙濃度又は温度が所定の火災注意レベルを超えると受信機１０の伝送部３２−１に対し火災割込み信号を送信する。
【００５７】
サブＣＰＵ３０−１は伝送部３２−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス３４を介してメインＣＰＵ２６に送信する。
【００５８】
メインＣＰＵ２６はサブＣＰＵ３０−１から受信したアナログデータを所定の火災判定レベルと比較しており、アナログデータが火災判定レベルに達した場合に火災と判定し、表示部３８の火災代表灯５８を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００５９】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３は、メインＣＰＵ２６で火災が検知された場合に予め記憶された連動情報に基づき防災機器２４の連動制御を行う。
【００６０】
［スイッチ操作無効制御］
図３は通常監視画面を示した説明図、図４は運用管理メニュー画面を示した説明図、図５はスイッチ操作を無効とする暗証番号入力画面を示した説明図、図６は暗証番号を再入力する暗証番号入力画面を示した説明図、図７はスイッチ操作無効中画面を示した説明図、図８はスイッチ操作の無効を解除する暗証番号入力画面を示した説明図、図９はスイッチ操作無効中画面の表示中に発生した火災イベントにより表示される火災警報画面を示した説明図である。
【００６１】
（スイッチ操作無効制御）
受信機１０のメインＣＰＵ２６に設けた火報制御部４６は、通常監視状態で図３に示す通常監視画面６６をディスプレイ３６に表示している。通常監視画面６６はメインエリアにメニュー釦６８ａ，６８ｂ，６８ｃが表示され、ガイドスイッチ５０を操作すると、画面下側の空エリアに、メニュー釦６８ａ〜６８ｃに対応したメニュー説明文が画面表示される。通常監視画面６６で「次へ」釦７０をタッチ操作すると図４に示す運用管理メニュー画面７２に切り替わる。
【００６２】
なお、本実施形態でディスプレイ３６に画面表示される釦とは、用途、機能などを図や絵柄、簡単な文字で表したアイコンとしての機能を備え、併せて、タッチ操作により対応する処理動作を実行させる操作釦（ツール釦）としての機能を備える。
【００６３】
図４に示す運用管理メニュー画面７２の中には、アイコン及び操作釦として機能するスイッチ操作無効釦７４が表示されており、スイッチ操作無効釦７４をタッチ操作すると図１の受信機１０のメインＣＰＵ２６に設けられたスイッチ操作無効制御部４８が起動し、スイッチ操作無効制御が実行され、図５に示すスイッチ操作を無効とする暗証番号入力画面７８−１がディスプレイ３６に表示される
（スイッチ操作無効の設定）
図５の暗証番号入力画面７８−１には、スイッチ操作無効設定のための暗証番号の入力を指示するガイダンス８０、６桁の暗証番号入力枠８２、数字キー８４、１文字消去釦８６、全クリア釦８８、決定釦９０及び「戻る」釦９２が設けられている。
【００６４】
利用者は予め定めた６桁の暗証番号を数字キー８４のタッチ操作で入力すると、暗証番号入力枠８２に記号＊によりマスクされた状態で暗証番号が入力され、決定釦９０がタッチ操作されると、図６に示す確認のための暗証番号入力画面７８−２の表示に切り替わる。
【００６５】
図６の暗証番号入力画面７８−２には、確認のために暗証番号の再入力を求めるガイダンス９４が表示され、これに従って利用者が同様にして暗証番号を入力して決定釦９０をタッチ操作すると、受信機１０のスイッチ操作無効制御部４８が動作する。
【００６６】
スイッチ操作無効制御部４８は、入力した暗証番号をメモリに記憶してスイッチ操作無効を設定する制御を行い、図２に示した受信機１０の盤面に設けている火災断定スイッチ５１、主音響停止スイッチ５２及び地区音響一時停止スイッチ５４、及び小扉５５の内側に配置している復旧スイッチ、地区音響一斉鳴動スイッチ、移報停止スイッチ、連動起動遮断スイッチ、蓄積解除スイッチ等の各種のスイッチについて、スイッチ操作を行っても各スイッチ操作で指定された動作を行わないスイッチ操作無効状態を確立させる。
【００６７】
続いて、スイッチ操作無効制御部４８は、スイッチ操作無効の設定を完了すると図７に示すスイッチ操作無効中画面７８−３をディスプレイ３６に表示させる。図７に示すスイッチ操作無効中画面７８−３は、「スイッチ操作無効中」のガイダンス９４を画面中央に表示し、その下にスイッチ操作無効解除釦９５を表示し、更に、イベント表示釦９６と画面ＯＦＦ釦９８を表示している。
【００６８】
このようなスイッチ操作無効中画面７８−３が受信機１０のスイッチ操作を無効に設定した状態で表示されているため、いたずらをしようとする者や不審者等の第三者は、受信機１０のスイッチを操作しても動作しないことを知り、受信機１０が動かないようなスイッチ操作を思い留まることを可能とする。
【００６９】
一方、スイッチ操作無効制御部４８は、イベント表示釦９６が操作されると、そのとき受信機１０で発生しているイベントを示す情報をポップアップ形式のウインドにより表示させる。このため利用者は、スイッチ操作無効中であっても、暗証番号の入力によりスイッチ操作の無効を解除することなく、受信機１０で発生しているイベントを簡単に確認することができる。この際のイベントは通信異常や電源低下等の保守イベント等の適宜のイベントである。
【００７０】
なお、本実施形態は、スイッチ操作の無効および無効解除に暗証番号を使用しているが、数字と英文字の組み合わせによるパスワードの入力により、スイッチ操作の無効と無効解除を行うようにしても良い。
【００７１】
（スイッチ操作無効の解除）
受信機１０のスイッチ操作無効を利用者が解除したい場合には、スイッチ操作無効中画面７８−３に配置されているスイッチ操作無効解除釦９５をタッチ操作すると、図８のスイッチ操作の無効を解除するための暗証番号入力画面７８−４がディスプレイ３６に表示される。
【００７２】
図８の暗証番号入力画面７８−４には、スイッチ操作の無効を解除するために暗証番号を入力する旨のガイダンス１００が表示され、数字キー８４によりスイッチ操作無効の設定で入力したと同じ暗証番号を入力して決定釦９０をタッチ操作すると、受信機１０のスイッチ操作無効制御部４８が入力された暗証番号とメモリに記憶している暗証番号と照合し、照合一致が得られるとスイッチ操作無効の解除が行われ、受信機１０に設けている全てのスイッチについて、スイッチ操作を検出した場合にスイッチ操作で指定された動作を実行する。
【００７３】
ここで、図７のスイッチ操作無効中画面７８−３では、スイッチ操作無効解除釦９５が分かるように表示しており、このため第三者がタッチ操作することで図８のスイッチ操作の無効を解除する暗証番号入力画面７８−４に切り替わり、暗証番号の不正入力ができる状態になることから、スイッチ操作無効解除釦９５は暗証番号を知っている関係者しか分からない隠し釦とすることが望ましい。
【００７４】
スイッチ操作無効解除釦９５の隠し釦は、例えばガイダンス９４の中の「無効」の部分に埋め込まれた隠し釦とし、第三者から図８の暗証番号入力画面７８−４への切替えができないようにする。また、スイッチ操作無効解除釦９５のアイコンに無意味な文字、図形、記号等を表記し、分かりにくい場所に配置することで、隠蔽しても良い。
【００７５】
（火災イベント発生による自動解除）
受信機１０のスイッチ操作無効制御部４８は、図７のスイッチ操作無効中画面７８−３が表示されたスイッチ操作無効中に、アナログ火災感知器１４からの火災検出信号の受信により火災イベントが発生したときには、スイッチ操作無効を暗証番号の入力を必要とすることなく自動的に解除する制御を行う。
【００７６】
受信機１０の火報制御部４６は、火災イベントが発生すると図９に示す火災警報画面１０２をディスプレイ３６に表示し、このときスイッチ操作無効制御部４８はそれまで設定していたスイッチ操作の無効を暗証番号の入力を必要とすることなく自動的に解除し、盤面に設けている火災断定スイッチ５１、主音響停止スイッチ５２及び地区音響一時停止スイッチ５４のスイッチ操作を有効として火災対処操作を可能とする。
【００７７】
図９に示す火災警報画面１０２は、「火災発生！」のガイダンス１０４に続いて第一報場所１０６を表示し、その下に、「この盤の音を止めて対処する」とするガイダンスが示された火災対処釦１０８が表示され、利用者が主音響停止スイッチ５２を操作して主音響を停止すると、現場確認のガイダンス画面となり、火災の現場確認により火災断定スイッチ５１の火災断定操作が行われると火災対処行動のガイダンス画面となり、一方、非火災が現場確認されると非火災対処行動のガイダンス画面となり、ガイダンス画面の遷移に従って火災対処操作及び火災対処行動を迅速且つ正確に進めることができる。
【００７８】
［分散システム］
図１０は受信機と中継盤で構成された分散システムを示した説明図である。監視対象とする施設が複数の住棟に分かれる等して大規模になる場合には、図１０に示すように、防災センター等に設置した受信機１０に対し例えば住棟毎に分けて中継盤１２０が設置され、受信機１０と中継盤１２０の間を通信回線として機能するイーサネット（登録商標）等のネットワーク回線１２６により通信接続している。
【００７９】
受信機１０は図１に示したと同じであり、これに対し中継盤１２０は図１の受信機１０からディスプレイ３６、表示部３８、操作部４０及び音響警報部４２を含む操作表示機能を除いた構成となり、それ以外は、受信機１０と基本的に同じとなり、警戒区域に引き出された信号回線１２２にアナログ火災感知器１４を含む端末機器が受信機１０と同様に接続されている。また受信機１０の火報制御部４６に対応して中継盤１２０には中継制御部１２４の機能が設けられている。
【００８０】
受信機１０の火報制御部４６は、ディスプレイ３６により火災監視に必要な受信機１０の情報に加え、火災監視に必要な中継盤１２０の情報も表示しており、スイッチ操作無効制御部４８は暗証番号の入力によりスイッチ操作無効と無効解除を行うことができる。また、スイッチ操作無効制御部４８は、スイッチ操作無効中に、中継盤１２０で発生したイベントをイベント表示釦のタッチ操作で行うことができ、また、スイッチ操作無効中に、中継盤１２０で火災イベントが発生して受信機１０に通知されたとき、自動的にスイッチ操作無効を解除して受信機１０に設けているスイッチの操作を有効とする。
【００８１】
［本発明の変形例］
（Ｐ型受信機）
上記の実施形態は、Ｒ型の受信機からの信号回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備及び回線単位に火災を監視するＰ型火災報知設備についても、同様に、暗証番号の入力によりスイッチ操作の無効と無効解除を行うスイッチ操作無効制御部４８の機能を設けることができる。
【００８２】
上記の実施形態では、スイッチ操作無効制御手段は暗証番号の入力により、スイッチの操作の無効と無効解除を行うとしているが、画面上のボタン複数の長押し、複数スイッチの長押し、認証カードキーやスクリーンセイバー作動等の適宜の方法でスイッチ操作を無効としても良い。また、ボタン複数の長押し、複数スイッチの長押し、認証カードキー等の適宜の方法でスイッチ操作を有効としても良い。また、スイッチ操作の有効とするためには認証が必要であるが無効とするためには簡易なボタンやスイッチの操作で良いなど、スイッチ操作の無効と有効の切替えは異なる方法で行うようにしても良い。
【００８３】
（火災イベント発生時の自動解除の別実施例）
上記の実施形態では、火災イベント発生時はスイッチ操作無効を解除するとしているが、スイッチ操作無効を解除せずに火災時には火災に係る画面表示を行うようにしても良い。
火災に係る画面表示は、イベント表示釦の画面操作を伴わずに表示する。表示内容は火災イベントの種類により異なる詳細を表示するようにしてもよいし、共通の表示としても良い。表示は適宜の形態をとってよいが、感知器の発報場所・発信機の操作場所、非常電話子機の発呼元等を示す場所情報を表示することが好適である。火災イベントの種類により異なる詳細を表示する場合は、例えば、感知器発報の場合は感知器発報を示す「第一報」と発報場所を示す「○○棟○○階○○地区」を表示する。
【００８４】
図１１は火災に係る情報を加えたスイッチ操作無効中画面を示した説明図であり、図７に示したスイッチ操作無効中画面７８−３における「スイッチ操作無効中」のガイダンス９４を表示に加え、画面下欄に、火災イベントの発生を示す共通表示「火災発生」と発報場所を示す「○○棟○○階○○地区」を表示する。
【００８５】
（ガイドスイッチ）
ガイドスイッチ５０は他のスイッチと同様にスイッチ操作無効中はスイッチ操作無効としても良いが、ガイドスイッチ５０のみ例外的にスイッチ操作無効中でもスイッチ操作有効とし、それ以外の全てのスイッチについてスイッチ操作無効としても良い。
【００８６】
火災断定スイッチ５１、主音響停止スイッチ５２及び地区音響一時停止スイッチ５４、及び小扉５５の内側に配置している復旧スイッチ、地区音響一斉鳴動スイッチ、移報停止スイッチ、連動起動遮断スイッチ、蓄積解除スイッチ等の各種のスイッチの操作は火災警報動作に係る操作を行わせるものなので、不特定多数の人物に操作されることは望ましくないが、ガイドスイッチ５０は受信機の操作方法や表示内容をガイダンスするものであり火災警報動作に係る操作を行わせるものでないためである。
【００８７】
ガイドスイッチ５０の操作により、スイッチ操作無効中の状態を説明やスイッチ操作無効の解除方法もしくは解除方法のヒント等の適宜のガイダンスを行うようにしても良い。このようにガイドスイッチ５０を有効とすることで、管理者のスイッチ操作無効解除方法忘れに対して、例えば隠されたスイッチ操作無効解除釦の位置や暗証番号のヒント等、スイッチ操作無効解除釦方法を想起させることで解除可能とする。
【００８８】
また、火災イベント発生時はスイッチ操作無効を解除せずに火災時には火災に係る画面表示を行う実施形態においては、火災イベント非発生時と火災イベント発生時のガイダンス内容を異ならせ、火災イベント発生時のガイダンス内容がスイッチ操作無効の解除方法を把握しやすい内容にしても良い。
【００８９】
（その他）
また、本発明はその目的と利点を損なうことのない適宜の変形を含み、更に上記の実施形態に示した数値による限定は受けない。
【符号の説明】
【００９０】
１０：受信機
１２，１２−１〜１２−３：信号回線
１４：アナログ火災感知器
１６：中継器
１７：感知器回線
１８：オンオフ火災感知器
２０：発信機
２２：アドレッサブル発信機
２４：防災機器
２６：メインＣＰＵ
２８−１〜２８−３：サブＣＰＵ基板
３０−１〜３０−３：サブＣＰＵ
３２−１〜３２−３：伝送部
３４：シリアル転送バス
３６：ディスプレイ
３８：表示部
４０：操作部
４２：音響警報部
４４：移報部
４６：火報制御部
４８：スイッチ操作無効制御部
５０：ガイドスイッチ
５１：火災断定スイッチ
５２：主音響停止スイッチ
５４：地区音響一時停止スイッチ
５５：小扉
５６：プリンタ
５８：火災代表灯
６０：ガス漏れ代表灯
６２：音響孔
６４：電話マイク
６６：通常監視画面
６８ａ〜６８ｃ：メニュー釦
７２：運用管理画面
７４：スイッチ操作無効釦
７８−１，７８−２，７８−４：暗証番号入力画面
７８−３：スイッチ操作無効中画面
８０，１００：ガイダンス
８２：暗証番号入力枠
８４：数字キー
８６：１文字消去釦
８８：全クリア釦
９０：決定釦
９２：「戻る」釦
９５：スイッチ操作無効解除釦
９６：イベント表示釦
９８：画面ＯＦＦ釦
１２０：中継盤
１２４：中継盤制御部
【図１】
2020087086.tif 000003
【図２】
2020087086.tif 000004
【図３】
2020087086.tif 000005
【図４】
2020087086.tif 000006
【図５】
2020087086.tif 000007
【図６】
2020087086.tif 000008
【図７】
2020087086.tif 000009
【図８】
2020087086.tif 000010
【図９】
2020087086.tif 000011
【図１０】
2020087086.tif 000012
【図１１】
2020087086.tif 000013